(57)【要約】【課題】表示部を備える携帯用端末機又は映像デバイスにおいて、表示部のイメージをプリンタに出力する前に表示部にプリンタで出力時のイメージを確認することができる携帯用端末機又は映像デバイスを提供する。【解決手段】プリンタに接続するＩ/Ｏインターフェース部と、プリンタの色テーブルを格納するメモリと、携帯用端末機のＩ/Ｏインターフェースがプリンタに接続され、携帯用端末機の出力予想イメージ表示モードが選択されるときに、ＲＧＢ方式の原本イメージをＣＭＹ方式の原本イメージに変換し、ＣＭＹ方式の原本イメージを前記プリンタの色テーブルを用いてＣＭＹ方式の出力予想イメージにマッピングし、ＣＭＹ方式の出力予想イメージをＲＧＢ方式の出力予想イメージに変換する制御部と、ＲＧＢ方式の出力予想イメージを視覚的にディスプレーする表示部と、を含むことを特徴とする。【選択図】図５
2006217570.tif 000002
【特許請求の範囲】
【請求項１】
プリンタに接続するＩ/Ｏインターフェース部と、
プリンタの色テーブルを格納するメモリと、
携帯用端末機のＩ/Ｏインターフェースがプリンタに接続され、携帯用端末機の出力予想イメージ表示モードが選択されるときに、ＲＧＢ(赤色、緑色、青色)方式の原本イメージをＣＭＹ(シアン、マゼンタ、黄色)方式の原本イメージに変換し、前記ＣＭＹ方式の原本イメージを前記プリンタの色テーブルを用いてＣＭＹ方式の出力 予想イメージにマッピングし、前記ＣＭＹ方式の出力予想イメージをＲＧＢ方式の出力予想イメージに変換する制御部と、
前記ＲＧＢ方式の出力予想イメージを視覚的にディスプレーする表示部と、
を含むことを特徴とする携帯用端末機。
【請求項２】
前記ＲＧＢ方式の原本イメージを下記の数式１
【数１】
2006217570.tif 000005
（ここで、Ｃはシアン、Ｒは赤色、Ｍはマゼンタ、Ｇは緑色、Ｙは黄色、及びＢは青色を示す。）
を用いて、前記ＣＭＹ方式の原本イメージに変換することを特徴とする請求項１記載の携帯用端末機。
【請求項３】
前記携帯用端末機の前記Ｉ/Ｏインターフェース部は、両方向通信が可能なＵＳＢ(Ｕｎｉｖｅｒｓａｌ  Ｓｅｒｉａｌ  Ｂｕｓ)環境を使用することを特徴とする請求項１記載の携帯用端末機。
【請求項４】
前記ＣＭＹ方式の原本イメージを下記の数式２
【数２】
2006217570.tif 000006
を用いて、前記ＣＭＹ方式の出力予想イメージにマッピングすることを特徴とする請求項１記載の携帯用端末機。
【請求項５】
前記ＣＭＹ方式の出力予想イメージを下記の数式３
【数３】
2006217570.tif 000007
（ここで、Ｒは赤色、Ｃシアン、Ｇは緑色、Ｍはマゼンタ、Ｂは青色、及びＹは黄色を示す。）
を用いて前記ＲＧＢ方式の出力予想イメージに変換することを特徴とする請求項１記載の携帯用端末機。
【請求項６】
プリンタのＩ/Ｏインターフェース部に接続するＩ/Ｏインターフェース部と、
携帯用端末機のＩ/Ｏインターフェース部がプリンタのＩ/Ｏインターフェース部に接続され、携帯用端末機の出力予想イメージ表示モードが選択されるときに、携帯用端末機のＩ/Ｏインターフェース部を通じて受信されるプリンタの色テーブルを貯蔵するメモリと、
ＲＧＢ(赤色、緑色、青色)方式の原本イメージをＣＭＹ(シアン、マゼンタ、黄色)方式の原本イメージに変換し、前記ＣＭＹ方式の原本イメージを前記プリンタの色テーブルを用いてＣＭＹ方式の出力予想イメージにマッピングし、前記ＣＭＹ方式の出力予想イメージをＲＧＢ方式の出力予想イメージに変換する制御部と、
前記ＲＧＢ方式の出力予想イメージを視覚的にディスプレーする表示部と、
を含むことを特徴とする携帯用端末機。
【請求項７】
前記ＲＧＢ方式の原本イメージを下記の数式４
【数４】
2006217570.tif 000008
（ここで、Ｃはシアン、Ｒは赤色、Ｍはマゼンタ、Ｇは緑色、Ｙは黄色、及びＢは青色を示す。）
を用いて前記ＣＭＹ方式の原本イメージに変換することを特徴とする請求項６記載の携帯用端末機。
【請求項８】
前記携帯用端末機の前記Ｉ/Ｏインターフェース部は、両方向通信が可能なＵＳＢ環境を使用することを特徴とする請求項６記載の携帯用端末機。
【請求項９】
前記ＣＭＹ方式の原本イメージを下記の数式５
【数５】
2006217570.tif 000009
を用いて、前記ＣＭＹ方式の出力予想イメージにマッピングすることを特徴とする請求項６記載の携帯用端末機。
【請求項１０】
前記ＣＭＹ方式の出力予想イメージを下記の数式６
【数６】
2006217570.tif 000010
（ここで、Ｒは赤色、Ｃはシアン、Ｇは緑色、Ｍはマゼンタ、Ｂは青色、及びＹは黄色を示す。）
を用いて前記ＲＧＢ方式の出力予想イメージに変換することを特徴とする請求項６記載の携帯用端末機。
【請求項１１】
直接的な出力機能を支援する携帯用端末機のイメージディスプレー方法であって、
携帯用端末機のメモリにプリンタの色テーブルを貯蔵する段階と、
携帯用端末機のＩ/Ｏインターフェース部がプリンタのＩ/Ｏインターフェース部に接続され、携帯用端末機の出力予想イメージ表示モードが選択されるときに、ＲＧＢ(赤色、緑色、青色)方式の原本イメージをＣＭＹ(シアン、マゼンタ、黄色)方式の原本イメージに変換する段階と、
前記ＣＭＹ方式の原本イメージを前記プリンタの色テーブルを用いてＣＭＹ方式の出力予想イメージにマッピングする段階と、
前記ＣＭＹ方式の出力予想イメージをＲＧＢ方式の出力予想イメージに変換する段階と、
前記ＲＧＢ方式の出力予想イメージを携帯用端末機の表示部上に視覚的にディスプレーする段階と、
を有することを特徴とする携帯用端末機のイメージ表示方法。
【請求項１２】
前記ＲＧＢ方式の原本イメージを下記の数式７
【数７】
2006217570.tif 000011
（ここで、Ｃはシアン、Ｒは赤色、Ｍはマゼンタ、Ｇは緑色、Ｙは黄色、及びＢは青色を示す。）
を用いて前記ＣＭＹ方式の原本イメージに変換することを特徴とする請求項１１記載の携帯用端末機のイメージ表示方法。
【請求項１３】
前記携帯用端末機のＩ/Ｏインターフェース部は、両方向通信が可能なＵＳＢ環境を使用することを特徴とする請求項１１記載の携帯用端末機のイメージ表示方法。
【請求項１４】
前記ＣＭＹ方式の原本イメージを下記の数式８
【数８】
2006217570.tif 000012
を用いて、前記ＣＭＹ方式の出力予想イメージにマッピングすることを特徴とする請求項１１記載の携帯用端末機のイメージ表示方法。
【請求項１５】
前記ＣＭＹ方式の出力予想イメージを下記の数式９
【数９】
2006217570.tif 000013
（ここで、Ｒは赤色、Ｃはシアン、Ｇは緑色、Ｍはマゼンタ、Ｂは青色、及びＹは黄色を示す。）
を用いて、ＲＧＢ方式の出力予想イメージに変換することを特徴とする請求項１１記載の携帯用端末機のイメージ表示方法。
【請求項１６】
直接的な出力機能を支援する携帯用端末機のイメージディスプレー方法であって、
携帯用端末機のＩ/Ｏインターフェース部がプリンタのＩ/Ｏインターフェース部に接続され、携帯用端末機の出力予想イメージ表示モードが選択されるときに、プリンタの色テーブルを受信する段階と、
携帯用端末機のメモリにプリンタの色テーブルを貯蔵する段階と、
ＲＧＢ(赤色、緑色、青色)方式の原本イメージをＣＭＹ(シアン、マゼンタ、黄色)方式の原本イメージに変換する段階と、
前記ＣＭＹ方式の原本イメージを前記プリンタの色テーブルを用いてＣＭＹ方式の出力予想イメージにマッピングする段階と、
前記ＣＭＹ方式の出力予想イメージをＲＧＢ方式の出力予想イメージに変換する段階と、
前記ＲＧＢ方式の出力予想イメージを携帯用端末機の表示部上に視覚的にディスプレーする段階と、
を有することを特徴とする携帯用端末機のイメージ表示方法。
【請求項１７】
前記ＲＧＢ方式の原本イメージを下記の数式１０
【数１０】
2006217570.tif 000014
（ここで、Ｃはシアン、Ｒは赤色、Ｍはマゼンタ、Ｇは緑色、Ｙは黄色、及びＢは青色を示す。）
を用いて、前記ＣＭＹ方式の原本イメージに変換することを特徴とする請求項１６記載の携帯用端末機のイメージ表示方法。
【請求項１８】
前記携帯用端末機のＩ/Ｏインターフェース部は、両方向通信が可能なＵＳＢ環境を使用することを特徴とする請求項１６記載の携帯用端末機のイメージ表示方法。
【請求項１９】
前記ＣＭＹ方式の原本イメージを下記の数式１１
【数１１】
2006217570.tif 000015
を用いて、前記ＣＭＹ方式の出力予想イメージにマッピングすることを特徴とする請求項１６記載の携帯用端末機のイメージ表示方法。
【請求項２０】
前記ＣＭＹ出力予想イメージを下記の数式１２
【数１２】
2006217570.tif 000016
（ここで、Ｒは赤色、Ｃはシアン、Ｇは緑色、Ｍはマゼンタ、Ｂは青色、及びＹは黄色を示す。）
を用いて、前記ＲＧＢ方式の出力予想イメージに変換することを特徴とする請求項１６記載の携帯用端末機のイメージ表示方法。
【請求項２１】
プリンタのＩ/Ｏインターフェース部に接続されるＩ/Ｏインターフェース部と、
プリンタの色テーブルを貯蔵するメモリと、
前記イメージ表示装置のＩ/Ｏインターフェース部がプリンタのＩ/Ｏインターフェース部に接続され、前記イメージ表示装置の出力予想イメージ表示モードが選択されるときに、選択されたＲＧＢ(赤色、緑色、青色)方式の原本イメージをＣＭＹ(シアン、マゼンタ、黄色)方式の原本イメージに変換し、前記ＣＭＹ方式の原本イメージを前記プリンタの色テーブルを用いてＣＭＹ方式の出力予想イメージにマッピングし、前記ＣＭＹ方式の出力予想イメージをＲＧＢ方式の出力予想イメージに変換する制御部と、
前記ＲＧＢ方式の出力予想イメージを視覚的にディスプレーする表示部と、
を含むことを特徴とする映像デバイス。
【請求項２２】
プリンタのＩ/Ｏインターフェース部に接続するＩ/Ｏインターフェース部と、
携帯用端末機のＩ/Ｏインターフェース部がプリンタのＩ/Ｏインターフェース部に接続され、携帯用端末機の出力予想イメージ表示モードが選択されるときに、携帯用端末機のＩ/Ｏインターフェース部を通じて受信されたプリンタの色テーブルを貯蔵するメモリと、
前記イメージ表示装置のＩ/Ｏインターフェース部がプリンタのＩ/Ｏインターフェース部に接続され、前記イメージ表示装置の出力予想イメージ表示モードが選択されるときに、選択されたＲＧＢ(赤色、緑色、青色)方式の原本イメージをＣＭＹ(シアン、マゼンタ、黄色)方式の原本イメージに変換し、前記ＣＭＹ方式の原本イメージを前記プリンタの色テーブルを用いてＣＭＹ方式の出力予想イメージにマッピングし、前記ＣＭＹ方式の出力予想イメージをＲＧＢ方式の出力予想イメージに変換する制御部と、
前記ＲＧＢ方式の出力予想イメージを視覚的にディスプレーする表示部と、
を含むことを特徴とする映像デバイス。
【発明の詳細な説明】
【技術分野】
【０００１】
本発明はプリンタに直接接続してプリント可能な携帯用端末機に関するもので、特に、プリンタの色相表示方式と携帯用端末機の表示部の色相表示方式の差によって、携帯用端末機の表示部の原本イメージがプリンタに出力されるときに異なるように出力される現象により、望ましくないイメージが出力されることを防止するために、予め携帯用端末機の表示部にプリンタの出力イメージを確認可能にする携帯用端末機に関するものである。
【背景技術】
【０００２】
最近、移動通信端末機又は個人携帯情報端末機(Ｐｅｒｓｏｎａｌ  Ｄｉｇｉｔａｌ  Ａｓｓｉｓｔａｎｔ：以下、“ＰＤＡ”とする）のような携帯用端末機が多く使用されている。このような携帯用端末機は、単純な電話通話又は一定管理などの目的だけでなく、装着されたデジタルカメラによるイメージ撮影や、衛星放送の視聴などその活用範囲が徐々に広くなってきている。
【０００３】
最近の携帯用端末機で、カメラを用いる写真撮影及び動映像の鑑賞、貯蔵されたイメージの再生は、周囲で多く見られることとなっている。今までは、携帯用端末機に装着されるカメラの場合に、解像度が低く、レンズのサイズが小さいため、一般的なデジタルカメラに比べて品質が低い結果を得るしかなかった。しかしながら、最近でカメラモジュールの製造技術の向上及びイメージ撮影センサーの感度の向上、これを処理するイメージ処理プロセッサー(Ｉｍａｇｅ  Ｓｉｇｎａｌ  Ｐｒｏｃｅｓｓｏｒ：ＩＳＰ）の技術発展で、２００万画素が超える携帯用端末機が広く普及されている。これは、端末機を用いて撮影したイメージを単純に端末機上のみで再生する限界を超えて最近では貯蔵されたイメージをフォトプリンタなどを用いて出力する段階に至った。そして、最近で普及されているデジタルカメラにおいては、個人用コンピュータなしにプリンタと直接に接続できる技術(例えば、Ｄｉｒｅｃｔ  Ｐｒｉｎｔｉｎｇ-Ｃａｎｏｎ,ｅｔｃ.)が、カメラとプリンタを同時に開発する会社らにより実現されている。これは、写真を印刷することにおいて、既存に使われた方式であるカメラからコンピュータに写真を伝送する段階と、コンピュータからプリンタに出力を行う段階とを一つに統合することを意味する。
【０００４】
最近、携帯用端末機に使用されるカメラモジュールの性能が３２０万画素(例えば、ＳＰＨ-ｓ２３００)を超える携帯電話機が市場に発表された。これは、単純に端末機に装置された表示部(表示部の場合に、２６万画素程度の支援)を通じて再生する段階を超えることである。最近、携帯用端末機で撮影した高画質の写真をフォトプリンタなどを用いて出力する製品も出ている実情である。現在は、携帯用端末機を用いる直接印刷が初期段階にあるが、段階的にデジタルカメラを携帯用端末機内に吸収する傾向からみるときに、遠からず単純なデジタルカメラは、カメラモジュールを内蔵した携帯用端末機に代替されると予想できる。
【０００５】
既存の直接印刷(Ｄｉｒｅｃｔ  Ｐｒｉｎｔｉｎｇ)技術の場合は、デジタルカメラから貯蔵されたイメージをデジタル信号としてプリンタに伝送すると、これをプリンタですぐ出力する形態である。プリンタにおいて、各製造社別に使用する部品が異なり、またプリンタに装着されて作用するインキの種類が異なる。したがって、プリンタは、同一のイメージを同一のコンピュータから出力しても相異なる結果が得られる。下記に、添付の図１及び図２を参照して、このような結果について説明する。
【０００６】
図１は、携帯用端末機の表示部にディスプレーされる原本イメージの写真を示す図である。図２は、図１の原本イメージをそれぞれ相互に異なるプリンタで出力したときの結果を示すイメージ写真を示す図である。図２からわかるように、それぞれのプリンタごとに相互に異なる結果が出力される。
【０００７】
携帯用端末機の表示部は、ＲＧＢ色相表示方式を使用する。ＲＧＢ色相表示方式によるイメージは、赤色(Ｒｅｄ)、緑色(Ｇｒｅｅｎ)、青色(Ｂｌｕｅ）の３種類の色を混合して示す色相イメージである。この３種類の色、すなわちＲＧＢの比率を適切に調節すると、多様な色が得られる。例えば、赤色と緑色を同じ割合で混合すると、黄色(Ｙｅｌｌｏｗ）となる。このような赤色(Ｒ)、緑色(Ｇ)、青色(Ｂ）が光の３原色と呼ばれる。
【０００８】
一方、通常に絵を描くときに使用する３つの基本色は、赤色、青色、黄色である。これは、色の３原色と呼ばれる。この３原色のうち、青色は、実際には空色に近いため、正確にはシアン(Ｃｙａｎ)とし、このシアンは青色と緑色を混ぜるときに得られる。また、３原色のうち、赤色は、正確には赤色でなく、紫色に近いマゼンタ(Ｍａｇｅｎｔａ)という色で、このマゼンタは赤色と青色を混ぜるときに得られる色である。すなわち、色の３原色は、シアン（Ｃ）、マゼンタ(Ｍ)、黄色(Ｙ)である。
【０００９】
このように、光の３原色はＲＧＢで、色の３原色はＣＭＹである。ＴＶやモニター、舞台の照明などではＲＧＢを合成して色を作り出し、印刷、塗色、染色などはＣＭＹを用いて色を作り出す。
【００１０】
物体は照明を受けて光を吸収し、その中から特定の波長の光のみを反射して色を示す。例えば、赤い物体は、赤色(Ｒ)以外の波長はすべて吸収する。したがって、この物体から出る光は、照明から赤色以外の色を除いたものである。これを光の減法混合という。従って、物体の３原色は、白色の照明から赤色(Ｒ)、緑色(Ｇ)、青色(Ｂ）を各々除いた色である。色座標で、２つの光を混合すると、２色を連結する直線上に位置する一方、色を除くと、反対側直線に位置する。白色から赤いを除くと、赤色の反対側の色はシアン(Ｃ）となることが容易に分かる。同様に、白色から緑色(Ｇ)、青色(Ｂ）を除くと、各々マゼンタ(Ｍ)、黄色(Ｙ）となる。したがって、印刷、塗色どに使用される染料やペイントなどにはＣＭＹの３原色を使用する。プリンタのカラーインキは、この３種類の色からなる。しかしながら、印刷においては、Ｋとディスプレーする黒色を共に使用する。もちろん、ＣＭＹの３原色を適切に混合すると、黒色が得られるが、ＣＭＹのペイントやカラーインキはそのコストが非常に高いため、黒い専用色を追加してＣＭＹＫを使用する。
【００１１】
コンピュータのモニターにディスプレーされる色と印刷されたときの色が異なることは、コンピュータの画面に示す色相が加法混色で、プリンタで出力される色相が減法混色であるためである。
【００１２】
人の目で見る色をそのまま携帯端末機の表示部で再現し、再びこれをプリンタでプリントしたときに差が無いようにするためには、‘装置独立的’な色相再現方法が使用される。すなわち、物体によって反射された太陽光スペクトルが人の目に起こす刺激と一致する表示部にＲＧＢの混合量を把握すべき、これは表示部ごとに異なる。また、このように求められたＲＧＢが単純な数式によりＣＭＹＫに変化してプリンタに送られると、図３に示すような色領域の差のため、示されない色が生じるようになり、プリンタに従って異なる値に変えて出力する特別な技術を必要とする。
【００１３】
しかしながら、携帯用端末機の表示部とプリンタの色相表示方式の差(これによる色領域の差)と表示技術と印刷技術の製造社別の差によって、ユーザーは携帯用端末機の表示部を通じて認知する色情報のようなイメージをプリンタの印刷物を通じて得られないことが一般的である。ユーザーが、携帯用端末機の表示部にディスプレーする特定のイメージをプリンタを用いて出力する場合に、表示部で認知した色相情報と色感の差のある出力物が得られる。
【００１４】
すなわち、携帯用端末機の表示部(ディスプレー部)にディスプレーされるイメージとプリンタに出力されるイメージは、色の表現方法の差、表示装置及びプリンタそれぞれの特性差によってユーザーが望ましくないイメージを出力するようになる。したがって、携帯用端末機の表示部にディスプレーされるイメージをプリンタで出力する前にプリンタで出力するときのイメージを確認可能にし、不要なプリンタの出力を防止することが求められる。
【発明の開示】
【発明が解決しようとする課題】
【００１５】
したがって上記のような問題を解決するために、本発明の目的は、表示部を備える携帯用端末機又は映像デバイスにおいて、表示部のイメージをプリンタに出力する前に表示部にプリンタで出力時のイメージを確認することができる携帯用端末機又は映像デバイスを提供することにある。
【００１６】
本発明の他の目的は、プリンタと直接接続が可能な携帯用端末機又は映像デバイスにおいて、デバイスユーザーが表示部のイメージをプリンタに出力する前に表示部にプリンタで出力時のイメージを確認可能にし、希望するイメージのみを出力可能にする携帯用端末機又は映像デバイスを提供することにある。
【００１７】
また、本発明の目的は、表示部とプリンタとの間が各々異なる色相領域を有し、それぞれのプリンタが同じ色を表現するインキが異なって相互に異なる色で表現する問題点により、ユーザーが希望しない出力物が出力される問題を解決できる直接接続が可能な携帯用端末機を提供することにある。
【００１８】
さらに、本発明の目的は、上記の目的で提供する携帯用端末機や映像デバイスの イメージ表示方法を提供することにある。
【課題を解決するための手段】
【００１９】
上記の目的を達成するために、本発明は、プリンタに接続するＩ/Ｏインターフェース部と、プリンタの色テーブルを格納するメモリと、携帯用端末機のＩ/Ｏインターフェースがプリンタに接続され、携帯用端末機の出力予想イメージ表示モードが選択されるときに、ＲＧＢ(赤色、緑色、青色)方式の原本イメージをＣＭＹ(シアン、マゼンタ、黄色)方式の原本イメージに変換し、前記ＣＭＹ方式の原本イメージを前記プリンタの色テーブルを用いてＣＭＹ方式の出力 予想イメージにマッピングし、前記ＣＭＹ方式の出力予想イメージをＲＧＢ方式の出力予想イメージに変換する制御部と、前記ＲＧＢ方式の出力予想イメージを視覚的にディスプレーする表示部と、を含むことを特徴とする携帯用端末機を提供する。
【００２０】
また、本発明は、プリンタのＩ/Ｏインターフェース部に接続するＩ/Ｏインターフェース部と、携帯用端末機のＩ/Ｏインターフェース部がプリンタのＩ/Ｏインターフェース部に接続され、携帯用端末機の出力予想イメージ表示モードが選択されるときに、携帯用端末機のＩ/Ｏインターフェース部を通じて受信されるプリンタの色テーブルを貯蔵するメモリと、ＲＧＢ(赤色、緑色、青色)方式の原本イメージをＣＭＹ(シアン、マゼンタ、黄色)方式の原本イメージに変換し、前記ＣＭＹ方式の原本イメージを前記プリンタの色テーブルを用いてＣＭＹ方式の出力予想イメージにマッピングし、前記ＣＭＹ方式の出力予想イメージをＲＧＢ方式の出力予想イメージに変換する制御部と、前記ＲＧＢ方式の出力予想イメージを視覚的にディスプレーする表示部と、を含むことを特徴とする携帯用端末機を提供する。
【００２１】
なお、本発明は、直接的な出力機能を支援する携帯用端末機のイメージディスプレー方法であって、携帯用端末機のメモリにプリンタの色テーブルを貯蔵する段階と、携帯用端末機のＩ/Ｏインターフェース部がプリンタのＩ/Ｏインターフェース部に接続され、携帯用端末機の出力予想イメージ表示モードが選択されるときに、ＲＧＢ(赤色、緑色、青色)方式の原本イメージをＣＭＹ(シアン、マゼンタ、黄色)方式の原本イメージに変換する段階と、前記ＣＭＹ方式の原本イメージを前記プリンタの色テーブルを用いてＣＭＹ方式の出力予想イメージにマッピングする段階と、 前記ＣＭＹ方式の出力予想イメージをＲＧＢ方式の出力予想イメージに変換する段階と、前記ＲＧＢ方式の出力予想イメージを携帯用端末機の表示部上に視覚的にディスプレーする段階と、を有することを特徴とする携帯用端末機のイメージ表示方法を提供する。
【００２２】
さらに、本発明は、直接的な出力機能を支援する携帯用端末機のイメージディスプレー方法であって、携帯用端末機のＩ/Ｏインターフェース部がプリンタのＩ/Ｏインターフェース部に接続され、携帯用端末機の出力予想イメージ表示モードが選択されるときに、プリンタの色テーブルを受信する段階と、携帯用端末機のメモリにプリンタの色テーブルを貯蔵する段階と、ＲＧＢ(赤色、緑色、青色)方式の原本イメージをＣＭＹ(シアン、マゼンタ、黄色)方式の原本イメージに変換する段階と、
前記ＣＭＹ方式の原本イメージを前記プリンタの色テーブルを用いてＣＭＹ方式の出力予想イメージにマッピングする段階と、前記ＣＭＹ方式の出力予想イメージをＲＧＢ方式の出力予想イメージに変換する段階と、前記ＲＧＢ方式の出力予想イメージを携帯用端末機の表示部上に視覚的にディスプレーする段階と、を有することを特徴とする携帯用端末機のイメージ表示方法を提供する。
【００２３】
以外に、本発明の目的を達成するために、上記の実施形態を変更、構成要素の追加などが可能である。
【発明の効果】
【００２４】
本発明は、携帯用端末機又は映像デバイスの表示部にプリンタを通じて出力したときの色相イメージを示すことによって、表示部ディスプレーされる色相イメージとプリンタを通じて出力した出力物の色相イメージとの差を予め分かるようになることで、希望するイメージのみを出力することができる効果がある。
【発明を実施するための最良の形態】
【００２５】
以下、本発明の望ましい実施形態を添付の図面を参照して詳細に説明する。
下記に、本発明に関連した公知機能或いは構成に関する具体的な説明が本発明の要旨を不明にすると判断された場合に、その詳細な説明を省略する。
【００２６】
また、以下で、ＲＧＢ方式の原本イメージは、色相情報をＲＧＢ(赤色、録色、青色)に分類する方式で示す原本イメージを意味する。ＣＭＹ方式の原本イメージは、色相情報をＣＭＹ(シアン、マゼンタ、黄色)に分類する方式で示す原本イメージを意味する。また、ＲＧＢ方式の出力予想イメージは、ＲＧＢ方式でディスプレーされ、前記原本イメージが本発明の方法によりプリンタで出力するときに予想されるイメージを意味する。また、ＣＭＹ方式の出力予想イメージは、ＣＭＹ方式でディスプレーされ、前記原本イメージが本発明の方法によりプリンタで出力するときに予想されるイメージを意味する。
【００２７】
本発明は、プリンタと直接接続が可能な携帯用端末機を中心として説明する。しかしながら、下記の説明は、携帯用端末機以外にプリンタと直接接続が可能な映像デバイスすべてに適用可能である。
【００２８】
本発明で、プリンタは携帯用端末機と直接接続してプリント可能なプリンタとして、以下の説明では携帯用端末機と直接接続してプリント可能なカラーインキプリンタを例として説明する。
【００２９】
現在のカラープリンタにおいて、インキを用いる場合が大部分である。レーザプリンタの場合は、インキを使用する方式でなく、レーザを用いて染料を昇華させる方式である。携帯用端末機の表示部は、急速な発展によって実際の自然色に一層近接している。同様に、プリンタの色相領域も、色相別に２５５段階(階調)で、自然色相に近い色相が表現可能である。しかしながら、表示部とプリンタの色混合方式の差によって生じる色感の差は、相変らず非常に大きい。それによって、表示部を用いてイメージを認知した後に出力を行うと、色相の差が存在するようになる。
【００３０】
本発明による実施形態では、インキで印刷する色混合方式と携帯用端末機の表示部の色混合方式との差を正確に認識して、表示部を用いて見るときのイメージが、ユーザーに出力完了時のイメージを予め認識可能にする。表示部を用いてイメージを確認し出力しても、出力イメージに類似した品質のイメージを表示部を通じて予め確認したため、予想した結果を得ることができる。
【００３１】
本発明の構成は、次のようである。端末機とプリンタとの間のデータ伝送方式は、予め定められている方式に従う。代表的な例として、ＵＳＢ規格が挙げられる。この場合に、伝送側がホストとなり、プリンタ側がクライアントとなる。一般的なＵＳＢ環境では、ホストとクライアントとの関係が定められると、クライアントからホストにデータが伝送されない。したがって、色相テーブルを伝送する方法を実現するためには、両方向通信が可能にすべきである。これは、ＵＳＢで両ホスト/クライアントを兼用で動作するように実現することで可能になる。本発明は、次の２つの方式で実現できる。
【００３２】
第１に、プリンタが自機がどんな色相領域を示すかをテーブル形態で有しており、端末機に接続されると、これを伝送する方式である。第２に、端末機が既存に市場に発表されたプリンタの色テーブルを予め有している状態で、プリンタに接続されると、検索する段階を経てこの色テーブルを指定する方式である。第１の方式は、いかなるプリンタでも定められた規格のテーブルのみがあると、接続が可能であるという長所がある反面、データの伝送量が増加するという短所がある。一方、第２の方式は、プリンタの固有番号のみを伝送すると良いため、データ伝送量は小さいが、予めテーブルを貯蔵すべく、それによって互換の問題とメモリを占めていなければならないという短所がある。このために、最も広く使用される機種のテーブル又はよく使用する機種のテーブルを予め貯蔵し、その他の機種のテーブルは伝送方法を通じて貯蔵することによって、実現上の利点が得られると判断される。
【００３３】
伝送方式に関する装置以外に色領域の変換のために使用されるテーブルを貯蔵するメモリと、これを計算することができる制御部を用いる。テーブルマッピングの場合に、計算量をほとんど要求しないため、全体的なシステム性能とは全く関係がない。そして、イメージを再生するときに、出力時のイメージの再生と単純な原本イメージの再生をユーザーが選択可能にしてコンピュータで再生し、インターネットホームページに掲示する場合とプリンタなどを用いる出力を遂行する場合を選択的にディスプレーする。
【００３４】
写真を撮影できるカメラモジュールが装着された端末機に写真を撮影する。撮影されたイメージだけでなく、伝送された写真、貯蔵された写真など多様なイメージが活用可能になる。まず、再生されるイメージは、基本的に最大限原本イメージに近い色相を携帯用端末機の表示部を通じて再生させる。プリンタ装置と接続されると、端末機とプリンタはプリンタのモデル名、色テーブルの伝送決定などを行う。これは、上記した２つの方式のうちの一つを従うようになる。これら２つの方式以外にも適切な色テーブル指定方式は、どんな方式でも採択可能である。色テーブルが決定されると、原本イメージとテーブルとの間で色相領域がマッピングされる。
【００３５】
一般的にプリンタは、ＲＧＢ領域でなくＣＭＹ領域で色を表現するため、プリンタが有している色テーブルはＣＭＹで作成されている。色テーブルのマッピングのために、原本イメージ値をＣＭＹに変換する。予め貯蔵されており、或いは、プリンタ側から端末機に伝送されるテーブルは、ＣＭＹ領域のデータで構成されている。ＲＧＢ領域とＣＭＹ領域との間の変換は、下記の＜数式１＞のようである。
【００３６】
【数１】
2006217570.tif 000003
【００３７】
ＲＧＢ色領域とＣＭＹ色領域の差は、図３を参照して説明する。図３から分かるように、ＲＧＢ色領域とＣＭＹ色領域は、表現領域において大部分一致し、或いは部分的に差が存在する。
【００３８】
イメージは、携帯用端末機の表示部やプリンタに関係なく該当機器で定められたフォーマットに合うデータで構成される。携帯用端末機の場合に、原本イメージは大部分ＲＧＢの色領域データで構成される。これを、＜数式１＞のようにＣＭＹ領域に変換する。変換されたＣＭＹ領域のイメージをマッピングする段階が必要である。多様なマッピング方式があるが、本発明では、次のような方式を提案する。ＲＧＢの色領域変換によって得られたＣＭＹ値をＣｒ  Ｍｇ  Ｙｂとし、マッピングテーブルで決定される値をＣｃＭｍＹｙとする。マッピング決定定数をＭＡＰ_Ｄｉｆｆとすると、＜数式２＞のように決定される。
【００３９】
【数２】
2006217570.tif 000004
【００４０】
ここで、ｗ１〜ｗ３は、測定によって決定可能な加重値である。もし、プリンタの色相領域で、赤い色相が元のイメージより濃く出力されると、ｗ１がｗ２とｗ３と比較して大きい値になるように設定できる。その理由は、赤色はマゼンタ(Ｍ)と黄色(Ｙ）との混合色であり、その成分をシアン(Ｃ)に比べて小さな値に定められると、プリンタの色相領域の誤りを修正可能になる。これは、プリンタ別に異なる値が設定され、インキの量によっても変わることができる値である。すなわち、ＭＡＰ_Ｄｉｆｆが最も小さい値にマッピングするようになると、原本データと最も近接した値が計算可能になる。これは、ディスプレー状態での色相決定とプリンタの出力時の色相決定方式が相異なるため、多様な実験を通じて加重値を決定することが重要である。上記のような多様な方法で最も正確な色が決定されると、これら色で構成されたイメージを携帯用端末機の表示部を通じて再生させる。
【００４１】
本発明で実現するプリンタに直接接続してプリント可能な携帯用端末機と携帯用端末機と直接接続されたプリンタの構造を添付の図面を参照して説明する。図４は、本発明の実施形態により構成されたイメージ表示方法及び装置を改善するためのブロック構成を示す図である。 図４を参照すると、本発明は、携帯用端末機４００とプリンタ４０２が接続された構造である。携帯用端末機４００は、端末機表示部４０４と、端末機カメラ部４０６と、端末機入出力インターフェース部４０８と、端末機制御部４１０と、端末機メモリ部４１２とを含む。プリンタ４０２は、プリンタ入出力インターフェース部４１４と、プリンタ印刷部４１６と、プリンタ制御部４１８と、プリンタメモリ部４２０と、を含む。
【００４２】
端末機表示部４０４は、出力しようとするイメージを原本イメージ又はプリンタで出力するときの予想イメージを表示部にディスプレーする。
【００４３】
端末機入出力インターフェース部４０８とプリンタ入出力インターフェース部４１４は、両方向通信が可能なデータ伝送方式を用いて携帯用端末機とプリンタ装置とを接続する。
【００４４】
端末機制御部４１０は携帯用端末機の全般的な動作を制御する機能を遂行する。イメージ処理において、端末機制御部４１０は、プリンタから受信した色テーブル又は端末機メモリ４１２に貯蔵されている色テーブルを用いてプリンタに出力するときの予想されるイメージを表示部に出力する。
【００４５】
端末機メモリ部４１２は、よく使用するプリンタと一番広く使用する数個のプリンタの色テーブルを貯蔵する。
【００４６】
プリンタメモリ部４２０は、プリンタ特性に合うように設定された色テーブルを貯蔵する。
【００４７】
図５は、本発明の実施形態により選択された原本イメージをプリンタ４０２に出力しようとするときに、プリンタ４０２に出力したときの予想される出力イメージを端末機表示部４０４にディスプレーする方法を示すフローチャートである。
【００４８】
ステップＳ５００で、ユーザーは出力しようとする 原本イメージを選択する。ステップＳ５０２で、携帯用端末機４００は、プリンタ４０２と接続されるか否かを確認する。その結果、プリンタ４０２と接続されていないと、ステップＳ５１４で、携帯用端末機４００は、選択された原本イメージをそのまま端末機表示部４０４に出力する。一方、プリンタ４０２と接続されないと、携帯用端末機４００は、ステップＳ５０４で端末機表示部４０４にディスプレーする方式を選択する。そのディスプレー方式では、原本イメージそのまま出力する方法があり、プリンタ４０２で出力予想イメージで出力する方法がある。
【００４９】
ステップＳ５０６で、原本イメージで出力する方式を選択した場合は、ステップＳ５１４で選択された原本イメージをそのまま端末機表示部４０４にディスプレーする。一方、プリンタ４０２の出力予想状態で出力予想イメージを端末機表示部４０４にディスプレーしようとする場合に、ステップＳ５０８に進む。ステップＳ５０８で、端末機制御部４１０は、ＲＧＢ方式の原本イメージをプリンタ４０２の色相表示方式であるＣＭＹ方式の原本イメージに変換する。
【００５０】
ステップＳ５１０で、端末機制御部４１０は、端末機メモリ４１２又はプリンタメモリ４２０から伝送された色テーブルを用いてＣＭＹ方式の原本イメージをプリンタ４０２で出力するときに、出力予想イメージにマッピングしてＣＭＹ方式の出力予想イメージを求める。ステップＳ５１２で、ＣＭＹ方式の出力予想イメージをＲＧＢ方式の出力予想イメージに変換する。ステップＳ５１６で、端末機表示部４０４にＲＧＢ方式の出力予想イメージをディスプレーする。
【００５１】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５２】
【図１】携帯用端末機の表示部に示す原本イメージの写真を示す図である。
【図２】図１の原本イメージをそれぞれのプリンタで出力した写真を示す図である。
【図３】携帯用端末機の表示部のＲＧＢ方式とプリンタのＣＭＹ方式の色相表示領域を比較する図である。
【図４】本発明の実施形態により構成されたプリンタと直接接続可能な携帯用端末機のブロック構成を示す図である。
【図５】本発明の実施形態によりプリンタで出力されるイメージを予め携帯用端末機の表示部に出力する過程を示すフローチャートである。
【符号の説明】
【００５３】
４０４  端末機表示部
４０６  端末機カメラ部
４０８  端末機入出力インターフェース部
４１０  端末機制御部
４１２  端末機メモリ部
【図４】
2006217570.tif 000017
【図５】
2006217570.tif 000018
【図１】
2006217570.tif 000019
【図２】
2006217570.tif 000020
【図３】
2006217570.tif 000021